(57)【要約】【課題】液晶パネルを備えたテレビジョン装置において、音声のビリツキ対策用や液晶パネル保持用の余分な部品を削減し、コストの低減を可能とする。【解決手段】筐体４，５と、液晶パネル６と、筐体内に組み込まれるスピーカー１０及び電気回路基板１１とを有してなるテレビジョン装置において、液晶パネル６を、筐体のフロントベゼル４の前面に設けられた凹部２０に嵌め込むように配置し、これをフロントベゼル４の裏面側から螺子２２で固定して取り付ける構造とする。またこの場合、液晶パネル６は、凹部２０との間に隙間を有する状態で取り付けられるものとする。【選択図】図２
2007336471.tif 000002
【特許請求の範囲】
【請求項１】
筐体と、映像表示パネルと、上記筐体内に組み込まれるスピーカー及び電気回路基板とを有し、上記映像表示パネルは、上記筐体の前面側を構成するフロントベゼルの前面に取り付けるように配置されることを特徴とするテレビジョン装置。
【請求項２】
上記フロントベズルの前面に凹部が設けられ、この凹部に嵌め込まれるように上記映像表示パネルが配置されることを特徴とする請求項１に記載のテレビジョン装置。
【請求項３】
上記映像表示パネルと上記凹部との間に隙間を有することを特徴とする請求項２に記載のテレビジョン装置。
【請求項４】
上記映像表示パネルは、上記フロントベズルの裏面側から螺子止めによって固定されることを特徴とする請求項１〜３の何れか１項に記載のテレビジョン装置。
【請求項５】
上記フロントベズルの裏面側に上記電気回路基板が直接取り付けられることを特徴とする請求項１〜４の何れか１項に記載のテレビジョン装置。
【発明の詳細な説明】
【技術分野】
【０００１】
本発明は、映像表示パネルを備えたテレビジョン装置に関し、特に映像表示パネルの配置構造に係るものである。
【背景技術】
【０００２】
先ず、図４〜図６を参照して、映像表示パネルを備えたテレビジョン装置の一般的な構造について説明する。
図４は従来一般の液晶テレビジョン装置の外観を示す斜視図である。このテレビジョン装置１は、装置本体２と、この装置本体を支持するスタンド３と、により構成され、ここで装置本体２は、前面側のフロントベゼル４と背面側のバックカバー５とを組み合わせてなる筐体の内部に、液晶パネル、スピーカー、電気回路基板などが組み込まれて構成される。
【０００３】
フロントベゼル４とバックカバー５は何れもプラスチック成形品であり、ここでフロントベゼル４は前面に開口７を有し、そこから液晶パネルの表示画面６ａが表出される。さらにフロントベゼル４の前面には、内蔵のスピーカーから発せられる音声を通すための無数の穴による開口８が設けられている。さらにフロントベズルの上面部には、電源、チャンネル、音量などを操作するためのスイッチボタン９が表出されている。
【０００４】
図５はこのテレビジョン装置の装置本体の構造を示す分解斜視図、図６は同、縦断側面図である。この図５及び図６で明らかな如く、フロントベゼル４とバックカバー５とを組み合わせて構成される筐体の内部には、映像表示パネルである液晶パネル６、スピーカー１０、電気回路基板１１などが組み込まれている。
【０００５】
ここで液晶パネル６は、フロントベゼル４の裏面側に配置され、その背面側からブラケット１２によって固定されるようになっている。このブラケット１２は板金もしくはプラスチック成形品であり、これをフロントベゼル４の裏面側に一体成形されたボス１３に螺子１４によって固定することで、フロントベゼル４との間で液晶パネル６を挟み込む状態で固定保持するようにしている。
【０００６】
さらにこのブラケット１２の裏面側には、一体成形あるいは別部品の圧入によるボス１５が設けられており、これに電気回路基板１１が螺子１６によって固定されるようになっている。またスピーカー１０も螺子止めによってフロントベゼル４の裏面側に固定されるものである。フロントベズル４はその裏面側に一体成形されたボス１７を有し、そこにバックカバー５が螺子１８によって固定される。
【０００７】
このような構造を有する従来の液晶テレビジョン装置においては、フロントベゼル４の成形後の反りなどの要因により、フロントベゼル４と液晶パネル６の接触部(図６のＡ部)に微小な隙間が生じ、スピーカー１０から音声が発せられたときにこの隙間の部分でいわゆる音声のビリツキ等の不良が生じてしまうおそれがある。
【０００８】
その対策として従来は、図７に示すように、フロントベゼル４と液晶パネル６の接触部分に不織布などの緩衝材１９を貼付するようにしていた（このように音声のビリツキを防ぐための緩衝材を設けたテレビジョン装置としては、例えば下記の特許文献１のようなものがある)。
【特許文献１】特開２００２−２９０８７５号公報
【発明の開示】
【発明が解決しようとする課題】
【０００９】
このように従来のテレビジョン装置は、フロントベゼルと液晶パネルの接触部分で発生する音声ビリツキを防止するために緩衝材を必要としていたため、その分だけ部品点数が増加しコスト高になっていた。また従来のテレビジョン装置では、液晶パネルを固定保持するためのブラケットにも余分なコストがかっていた。
【００１０】
本発明は斯かる点に鑑みてなされたもので、映像表示パネル(液晶パネル)を備えたテレビジョン装置において、新規の構造を採用することにより部品点数を削減し、コストの低減を可能としたテレビジョン装置を提供することを目的とする。
【課題を解決するための手段】
【００１１】
上記の目的を達成するため本発明は、筐体と、液晶パネル(映像表示パネル)と、筐体内に組み込まれるスピーカー及び電気回路基板とを有してなるテレビジョン装置において、映像表示パネルを、筐体の前面側を構成するフロントベゼルの前面に取り付けるように配置したことを特徴とするものである。
【００１２】
この構成では、フロントベズルの前面に凹部が設けられ、この凹部に嵌め込まれるように液晶パネルが配置される構造とする。
【００１３】
またこの構成では、液晶パネルと凹部との間に隙間を設けた構造とする。
【００１４】
またこの構成において液晶パネルは、フロントベズルの裏面側から螺子止めによって固定されるものとする。
【００１５】
さらにこの構成では、フロントベズルの裏面側に電気回路基板が直接取り付けられる構造とする。
【発明の効果】
【００１６】
上記の如く構成される本発明のテレビジョン装置では、液晶パネルをフロントベゼルの前面に取り付ける構造としたことにより、フロントベゼルと液晶パネルの接触部が取り付け用の螺子止め部分のみとなるので、スピーカーからの音声によるビリツキの発生が効果的に抑えられる。このため、従来のテレビジョン装置で用いられていたビリツキ対策用の緩衝材などが不要となるので、その分だけ従来よりも部品点数が削減され、コスト低減を図ることができる。
【００１７】
さらに本発明のテレビジョン装置では、従来のテレビジョンで用いられていた液晶パネル保持用のブラケットも不要となるので、さらなる部品点数の削減が可能となり、コスト低減に一段と大きな効果が得られるものである。
【発明を実施するための最良の形態】
【００１８】
以下、図面を参照しながら本発明の好適な実施例について詳細に説明する。
図１は本発明の実施例である液晶テレビジョン装置の外観を示す斜視図である。このテレビジョン装置１は、装置本体２と、この装置本体２を支持するスタンド３と、により構成され、ここで装置本体２は、前面側のフロントベゼル４と背面側のバックカバー５とを組み合わせてなる筐体の前面に映像表示パネルである液晶パネル６が取り付けられると共に、筐体の内部にスピーカー、電気回路基板などが組み込まれて構成される。
【００１９】
フロントベゼル４とバックカバー５は何れもプラスチック成形品であり、ここでフロントベゼル４は前面に凹部２０を有し、そこに嵌め込まれるように液晶パネル６が配置され、その表示画面６ａが全面的に表出されている。さらにフロントベゼル４の前面には、内蔵のスピーカーから発せられる音声を通すための無数の穴による開口８が設けられている。さらにフロントベゼル４の上面部には、電源、チャンネル、音量などを操作するためのスイッチボタン９が表出されている。
【００２０】
図２はこのテレビジョン装置の装置本体の構造を示す分解斜視図、図３は同、縦断側面図である。この図２及び図３で明らかな如く、フロントベゼル４の前面には凹部２０が設けられており、この凹部２０に嵌め込まれるように液晶パネル６が配置される構造となっている。ここで凹部２０の底には複数箇所に台座部２１が隆起形成されており、この台座部２１に載せるように液晶パネル６を凹部２０に嵌め込み、その状態でフロントベゼル４の裏面側から螺子２２によって液晶パネル６を固定するようにしている。
【００２１】
液晶パネル６は、全体が金属製のフレーム６ｂで覆われており、その前面に表示画面６ａが表出されている。この場合、フレーム６ｂにおける表示画面６ａの周囲の部分６ｃがフロントベゼル４の前面に表出される体裁面となるため、フレーム６ｂには着色やヘアライン加工などを施したアルミニウム板や、色付きのカラー鋼板などを使用する。
【００２２】
そしてこの液晶パネル６をフロントベゼル４の前面の凹部２０に嵌め込むように取り付けた状態では、図３に示すように、液晶パネル６の周面と凹部２０との間に１〜２ｍｍ程度の隙間Ｇが全周わたって設けられる構造となっている。
【００２３】
またこの装置本体２において、フロントベゼル４とバックカバー５を組み合わせて構成される筐体の内部には、スピーカー１０と電気回路基板１１が組み込まれている。ここで電気回路基板１１は、フロントベゼル４の裏面側に直接取り付けられるようになっている。即ち本例では、フロントベゼル４の裏面側にボス２３が一体成形されており、これに電気回路基板１１を螺子２４によって固定するようにしている。またスピーカー１０も螺子止めによってフロントベゼル４の裏面側に固定されるものである。フロントベズル４はその裏面側に一体成形されたボス１７を有し、そこにバックカバー５が螺子１８によって固定される。
【００２４】
上記の如く構成される装置本体２の組み立て手順について説明すると、先ずフロントベズル４の前面の凹部２０に前方より液晶パネル６を嵌め込み、これをフロントベゼル４の裏面側より螺子２２で固定する。次に、フロントベゼル４に一体成形されたボス２３に電気回路基板１１を螺子２４によって固定し、さらにスピーカー１０をフロントベゼル４の裏面側に固定して、最後に後方からバックカバー５をフロントベゼル４に被せてこれを螺子１８によって固定する。
【００２５】
以上のように構成される本例のテレビジョン装置では、液晶パネル６をフロントベゼル４の前面に取り付ける構造としたことにより、フロントベゼル４と液晶パネル６の接触部が螺子２２による固定部分のみとなるので、スピーカー１０からの音声によるビリツキの発生が効果的に抑えられる。さらに本例の構成では、液晶パネル６の周面とこの液晶パネル６が嵌め込まれる凹部２０との間に予め隙間Ｇを設けてあるので、音声のビリツキの発生をより確実に防止することができる。このため、従来のテレビジョン装置で用いられていたビリツキ対策用の緩衝材などが一切不要となるので、その分だけ従来よりも部品点数が削減され、コスト低減を図ることができるものである。
【００２６】
さらに本例のテレビジョン装置では、液晶パネル６をフロントベゼル４の前面に取り付ける構造としたことで、従来のテレビジョンで用いられていた液晶パネル保持用のブラケットが不要となるので、さらなる部品点数の削減が可能となり、コスト低減に一段と大きな効果が得られるものである。
【００２７】
また本例のテレビジョン装置では、フロントベゼル４の凹部２０の底に台座部２１を隆起形成し、この台座部２１に載せるように液晶パネル６を凹部２０に嵌め込んで取り付ける構造としてあるので、図３で明らかな如く液晶パネル６の背面と凹部２０との間にも隙間ができ、そのためこの隙間を利用した煙突効果によって、液晶パネル６から発せられる熱を効率的に放熱することができる。この場合、フロントベゼル４に放熱用の穴を形成した構造とすれば、より効率的な放熱効果を得ることが可能となる。
【００２８】
以上、本発明の実施例について説明したが、本発明はこの実施例の構成に限定されることなく、他にも種々の実施形態を採り得るものであることは言うまでもない。
【図面の簡単な説明】
【００２９】
【図１】実施例のテレビジョン装置の外観を示す斜視図である。
【図２】実施例のテレビジョン装置の装置本体の構造を示す分解斜視図である。
【図３】実施例のテレビジョン装置の装置本体の構造を示す縦断側面図である。
【図４】従来例のテレビジョン装置の外観を示す斜視図である。
【図５】従来例のテレビジョン装置の装置本体の構造を示す分解斜視図である。
【図６】従来例のテレビジョン装置の装置本体の構造を示す縦断側面図である。
【図７】従来例のテレビジョン装置におけるフロントベゼルと液晶パネルの接触部分の拡大図である。
【符号の説明】
【００３０】
１…テレビジョン装置、２…装置本体、４…フロントベゼル、５…バックカバー、６…液晶パネル(映像表示パネル)、１０…スピーカー、１１…電気回路基板、２０…凹部、２２…螺子、Ｇ…隙間
【図１】
2007336471.tif 000003
【図２】
2007336471.tif 000004
【図３】
2007336471.tif 000005
【図４】
2007336471.tif 000006
【図５】
2007336471.tif 000007
【図６】
2007336471.tif 000008
【図７】
2007336471.tif 000009